(57)【要約】【課題】被回収物から分離して回収する粒体の大きさを多段階に調整することができ、一つの装置により粒体の分級の調整を細かく設定することができる分離回収装置を提供する。【解決手段】分離回収装置１は、円筒部２０及び円錐部２１を有する分離処理容器２と、円筒部２０の周面に設けられる導入管３と、円筒部２０の上面に設けられる排出管４と、円錐部２１の下端に接続される貯留器５と、を備える。円筒部２０は、下方に向けて先細りのテーパー状部６０及びテーパー状部６０の下端に設けられかつ口径が段階的に減少する複数の筒口６３が階段状に連続する筒状部６１を有する第１コーン６と、下方に向けて先細りの第２コーン７とのいずれかを着脱可能である。排出管４は、円筒部２０の上面に対して上下方向にスライド可能であり、その下端に、複数の管８０を有しかつ各管８０の管径が筒状部６１の各筒口６３の口径に対応する多重管８を着脱可能である。【選択図】図４
2018143954.tif 000002
【特許請求の範囲】
【請求項１】
複数種の混合物からなる被回収物を乾式で分離回収するための分離回収装置であって、
上面を有する円筒部の下端に円錐部が接続された分離処理容器と、
前記円筒部の周面に設けられ、前記分離処理容器内に被回収物を含む気流を導入する導入管と、
前記円筒部の上面に設けられ、前記分離処理容器内に導入された気流を排出する排出管と、
前記円錐部の下端に接続され、前記分離処理容器にて分離回収した被回収物を貯留する貯留器と、を備え、
前記円筒部は、下方に向けて先細りのテーパー状部及び前記テーパー状部の下端に設けられかつ口径が段階的に減少する複数の筒口が階段状に連続する筒状部を有する第１コーンを着脱可能であり、
前記排出管は、前記円筒部の上面に対して上下方向にスライド可能であり、その下端に、複数の管が同心円状に配置されかつ各管の管径が前記筒状部の各筒口の口径に対応する多重管を着脱可能である、分離回収装置。
【請求項２】
前記円筒部は、下方に向けて先細りの第２コーンを着脱可能であり、前記第１コーン及び前記第２コーンを付け替え自在である、請求項１に記載の分離回収装置。
【請求項３】
前記円筒部は、前記テーパー状部の傾斜角度が異なる複数種の第１コーン及び傾斜角度が異なる複数種の前記第２コーンを付け替え自在である、請求項２に記載の分離回収装置。
【請求項４】
前記第１コーンは、前記テーパー状部の表面に複数の縦リブが周方向に間隔をあけて設けられている、請求項１〜３のいずれかに記載の分離回収装置。
【請求項５】
請求項１〜４のいずれかに記載の分離回収装置と、
前記導入管に接続されるエジェクターと、
前記エジェクターに接続される被回収物の吸引回収器と、
前記排出管に接続される外部吸引器と、を備える、被回収物の分離回収システム。
【請求項６】
サイクロン型回収装置をさらに備え、
前記外部吸引器は、前記サイクロン型回収装置を介して前記排出管に接続される、請求項５に記載の分離回収システム。
【発明の詳細な説明】
【技術分野】
【０００１】
本発明は、例えば、容器類・家電製品廃棄物・情報機器廃棄物等から発生する廃棄プラスチック類の破砕物、例えば石油タンク等のタンク内のブラスト工事により発生する塗膜片・金属系の研削材や切削屑・天然鉱物や造鉱物のグリット状又はショット状粒子、建築物の建築作業現場等で生じるゴミ・塵埃、例えば砂・土・小石等が混じった土壌、その他の粉粒体や軽量異物等の被回収物を大きさや比重にしたがい分離して回収する際に、分級する粒体の大きさを調整できる分離回収装置及び当該分離回収装置を備えた移送分離回収システムに関する。
【背景技術】
【０００２】
従来より、この種の被回収物を回収する装置としてサイクロン型回収装置が知られている（例えば特許文献１を参照）。サイクロン型回収装置は、一般的には、円筒状の外筒部の下端に同心状に逆円錐部が接続された構造のものであり、さらに、外筒部の上部筒壁に粉粒体や軽量異物等の被回収物を含む気流を外筒部内に流入させる気流導入管が接線方向に接続され、外筒部の上蓋中央位置に外筒部内に一部が垂下する気流排出管が接続され、逆円錐部の下端にホッパーが連結された構造のものである。
【０００３】
上記構造のサイクロン型回収装置は、被回収物を含む気流が気流導入管から外筒部内に接線方向に流入することで、外筒部内で旋回気流が生じ、この旋回気流により被回収物が遠心力の作用で筒壁に向かって集まり、その中で大きさのある粒体は重力で気流より沈降分離し、逆円錐部の錐壁に沿って下降してホッパーに回収される。一方で、微小な粉体や比重の小さい軽量異物は気流とともに上昇流となって気流排出管から系外へ排出され、集塵機や電気掃除機等により回収される。
【０００４】
サイクロン型回収装置では、被回収物を粒体と粉体・軽量異物とに分けて回収することができるが、粒体を粒径の大きさにしたがって分離することができず、所定範囲の大きさの粒体を個別に回収したいとの要望に応えることができない。これに対して、本出願人は、系内に導入される被回収物を含む気流から、粒径の大きい粒体を分離して系内で回収し、粒径の小さい粒体や微小な粉体、軽量異物を気流とともに系外に排出することが可能な回収装置を提案している（特許文献２を参照）。
【先行技術文献】
【特許文献】
【０００５】
【特許文献１】特開２００４−２８３７２０号公報
【特許文献２】特許第５５８３１００号公報
【発明の概要】
【発明が解決しようとする課題】
【０００６】
特許文献２に記載の回収装置によると、被回収物から粒径の大きい粒体を分離して回収した後、当該回収装置の下流側にサイクロン型回収装置を接続することで、当該サイクロン型回収装置にて粒径の小さい粒体と微小な粉体・軽量異物とを分離して回収することができる。
【０００７】
しかしながら、被回収物の回収現場では、被回収物の種類等によっては、粒体を大きさに関係なくまとめて回収したり、粒体を大きさにしたがい分離して回収したりする等、様々な回収方法に対応できることが望まれるが、特許文献１や特許文献２の回収装置では、１つの回収装置でこれらの要望に応えることができず、この点で改良の余地がある。
【０００８】
本発明は、上記した課題に着目してなされたものであり、被回収物から分離して回収する粒体の大きさを多段階に調整することができ、一つの装置により粒体の分級の調整を細かく設定することができる分離回収装置及び当該分離回収装置を備えた移送分離回収システムを提供することを目的とする。
【課題を解決するための手段】
【０００９】
本発明の上記目的は、複数種の混合物からなる被回収物を乾式で分離回収するための分離回収装置であって、上面を有する円筒部の下端に円錐部が接続された分離処理容器と、前記円筒部の周面に設けられ、前記分離処理容器内に被回収物を含む気流を導入する導入管と、前記円筒部の上面に設けられ、前記分離処理容器内に導入された気流を排出する排出管と、前記円錐部の下端に接続され、前記分離処理容器にて分離回収した被回収物を貯留する貯留器と、を備え、前記円筒部は、下方に向けて先細りのテーパー状部及び前記テーパー状部の下端に設けられかつ口径が段階的に減少する複数の筒口が階段状に連続する筒状部を有する第１コーンを着脱可能であり、前記排出管は、前記円筒部の上面に対して上下方向にスライド可能であり、その下端に、複数の管が同心円状に配置されかつ各管の管径が前記筒状部の各筒口の口径に対応する多重管を着脱可能である、分離回収装置により達成される。
【００１０】
本発明に係る分離回収装置は、前記円筒部は、下方に向けて先細りの第２コーンを着脱可能であり、前記第１コーン及び前記第２コーンを付け替え自在であることが好ましい。
【００１１】
また、本発明に係る分離回収装置は、前記円筒部は、前記テーパー状部の傾斜角度が異なる複数種の第１コーン及び傾斜角度が異なる複数種の前記第２コーンを付け替え自在であることが好ましい。
【００１２】
また、本発明に係る分離回収装置は、前記第１コーンは、前記テーパー状部の表面に複数のリブが周方向に間隔をあけて設けられていることが好ましい。
【００１３】
本発明の上記目的は、上記構成の分離回収装置と、前記導入管に接続されるエジェクターと、前記エジェクターに接続される被回収物の吸引回収器と、前記排出管に接続される外部吸引器と、を備える、被回収物の移送分離回収システムによっても達成される。
【００１４】
本発明に係る移送分離回収システムは、サイクロン型回収装置をさらに備え、前記外部吸引器は、前記サイクロン型回収装置を介して前記排出管に接続されることが好ましい。
【発明の効果】
【００１５】
本発明によると、被回収物から分離して回収する粒体の大きさを多段階に調整することができ、一つの装置により粒体の分級の調整を細かく設定することができる。
【図面の簡単な説明】
【００１６】
【図１】本発明の一実施形態に係る分離回収装置の斜視図である。
【図２】分離回収容器の側面図である。
【図３】第１コーンが取り付けられた状態の分離回収容器の断面斜視図である。
【図４】第１コーンが取り付けられた状態の分離回収容器の縦断面図である。
【図５】第２コーンが取り付けられた状態の分離回収容器の縦断面図である。
【図６】傾斜角度の異なる第２コーンが付け替えられた状態を示す説明図である。
【図７】コーンが取り付けられてない状態の分離回収容器の縦断面図である。
【図８】傾斜角度の異なる第１コーンが付け替えられた状態を示す説明図である。
【図９】本発明の一実施形態に係る移送分離回収システムの概略構成図である。
【図１０】本発明の他の実施形態に係る移送分離回収システムの概略構成図である。
【図１１】本発明の他の実施形態に係る移送分離回収システムの概略構成図である。
【発明を実施するための形態】
【００１７】
以下、本発明の実施形態について、添付図面を参照しながら説明する。本発明に係る分離回収装置は、例えば、容器類・家電製品廃棄物・情報機器廃棄物等から発生する廃棄プラスチック類の破砕物、例えば石油タンク等のタンク内のブラスト工事により発生する塗膜片・金属系の研削材や切削屑・天然鉱物や造鉱物のグリット状又はショット状粒子、建築物の建築作業現場等で生じるゴミ・塵埃、例えば砂・土・小石等が混じった土壌、その他の粉粒体や軽量異物等、複数種の混合物からなる被回収物を大きさや比重にしたがい乾式で分離して回収する際に、分級する粒体の大きさを調整できる分離回収装置に関する。
【００１８】
図１は、本発明の一実施形態に係る分離回収装置１の外観構成を示している。また、図２は、分離回収装置１を構成する分離処理容器２の外観構成を示し、図３〜図５は、分離処理容器２の内部構成を示している。
【００１９】
分離回収装置１は、上面を有する円筒部２０の下端に円錐部２１が接続された分離処理容器２と、円筒部２０の周面に設けられて分離処理容器２内に被回収物を含む気流を導入する導入管３と、円筒部２０の上面に設けられて分離処理容器２内に導入された気流を排出する排出管４と、円錐部２１の下端に接続されて分離処理容器２にて分離回収した被回収物を貯留する貯留器５と、を備える構成のものである。
【００２０】
分離処理容器２は、垂直な円筒部２０と、円筒部２０の下端に同心円状に接続された垂直な円錐部２１とを有している。
【００２１】
円筒部２０は、上面を有する円筒状の上部２０Ａと、上下両端が開口する円筒状の下部２０Ｂとで構成されている。上部２０Ａの下端及び下部２０Ｂの上端にはそれぞれフランジ部２０Ｃ,２０Ｄが設けられ、両フランジ部２０Ｃ,２０Ｄを重ね合わせて連結具２２により連結されることで、上部２０Ａ及び下部２０Ｂが固定されている。
【００２２】
円筒部２０（上部２０Ａ）の周面には、導入管３が接続されているが、導入管３により導入される気流が円筒部２０内で旋回気流を生じ易くするために、円筒部２０の周面の接線方向に沿って導入管３が接続されている。円筒部２０（上部２０Ａ）の上面の中心位置には、排出管４が貫通して接続されており、排出管４の一部分が円筒部２０内で垂下している。排出管４は、円筒部２０の上面に対して上下方向にスライド可能であり、円筒部２０内で垂下する部分の長さを自在に変更可能である。
【００２３】
排出管４の下端には、多重管８が着脱可能に取り付けられる。多重管８は、管径の異なる複数の管８０が同心円状に配置された多重構成のものである。複数の管８０は、管径が小さくなるに連れて長さが大きくなる山形状に形成されており、内外に隣接する管８０同士では、内側の管８０の下端が外側の管８０の下端から突き出てより下方に位置している。
【００２４】
また、円筒部２０（下部２０Ｂ）の周面には、分離処理容器２を支持するための架台９に分離処理容器２を固定するための固定具２３が設けられている。分離処理容器２の下方の貯留器５は、架台９内に配置されている。
【００２５】
円錐部２１は、下方に向けて先細りのテーパー状（漏斗状）であり、傾斜角度が所定の角度に設定されている。円錐部２１の下端には、本実施形態では円筒状の接続部２４が設けられ、接続部２４を介して貯留器５が接続されている。貯留器５は、分離回収した被回収物を貯留可能なものであれば特に限定されるものではなく、例えばホッパタンク、フレキシブルコンテナバッグ（フレコンバッグ）等、容器状や袋状の様々なものを用いることができる。
【００２６】
円筒部２０は、内部に第１コーン６及び第２コーン７を着脱可能に取り付けることができる。第２コーン７は、図５に示すように、下方に向けて先細りのテーパー状（漏斗状）をなしている。第２コーン７の下端は開口しており、第２コーン７の上端には水平なフランジ部が設けられている。第２コーン７は、円筒部２０内に同心円状に配置され、フランジ部が円筒部２０の上下のフランジ部２０Ｃ，２０Ｄの間に挟まれることで、円筒部２０に固定される。
【００２７】
第２コーン７の傾斜角度θ２は、所定の角度に設定されている。傾斜角度θ２は、通常は好適に粉粒体が第２コーン７の内表面を滑る４５°に設定される。第２コーン７は、図示は省略するが、傾斜角度θ２が異なるもの（例えば２５°〜６５°）が複数種用意され、複数種の第２コーン７を円筒部２０に付け替え自在である。
【００２８】
第１コーン６は、図４に示すように、テーパー状部６０及び筒状部６１を有する構成のものである。
【００２９】
テーパー状部６０は、下方に向けて先細りのテーパー状（漏斗状）をなしている。テーパー状部６０の上端には水平なフランジ部が設けられている。第１コーン６は、円筒部２０内に同心円状に配置され、フランジ部が円筒部２０の上下のフランジ部２０Ｃ，２０Ｄの間に挟まれることで、円筒部２０に固定される。
【００３０】
テーパー状部６０の傾斜角度θ１は、所定の角度に設定されている。傾斜角度θ１は、通常はテーパー状部６０の内表面を滑る粉粒体の重力落下速度を小さくして、排出管４及び多重管８による回収効率を上げるため、できるだけ緩やかに設定される。
【００３１】
テーパー状部６０の内表面（内側の表面）には、径方向に延びるリブ６２が周方向に間隔をあけて複数設けられている。各リブ６２は、弾性体等の軟質な材料からなり、複数のリブ６２がテーパー状部６０の内表面を放射状に延びることで、詳細は後述するが、気流とともに円筒部２０内を旋回する被回収物はテーパー状部６０の内表面において複数のリブ６２で受け止められ、複数のリブ６２に沿ってテーパー状部６０の内表面を落下するよう誘導される。
【００３２】
筒状部６１は、テーパー状部６０の下端に設けられており、口径の異なる複数の筒口６３が同心円状に配置された多段構成のものである。複数の筒口６３は、口径が段階的に減少しており、口径の小さい筒口６３が下方に位置するように階段状に連続している。上下に隣接する筒口６３同士は、テーパー状部６０と同様に傾斜角度θ１のテーパー状の傾斜面６４を介して連続している。複数の筒口６３は、多重管８の複数の管８０に一対一で対応しており、各管８０は対応する筒口６３内に中心軸が一致した状態で挿入され、各管８０の下端が対応する各筒口６３の先端の傾斜面６４に対して隙間をあけて臨むように配置されている。
【００３３】
第１コーン６は、図示は省略するが、テーパー状部６０及び傾斜面６４の傾斜角度θ１が異なるもの（例えば２５°〜６５°）が複数種用意され、複数種の第１コーン６を円筒部２０に付け替え自在である。
【００３４】
次に、上述した構成の分離回収装置１による被回収物の分離回収動作について説明する。まず、図５に示すように、円筒部２０内に第２コーン７を取り付けた場合には、従来例のサイクロン型の分離回収装置と同様に動作する。つまりは、被回収物を含む気流が導入管３から円筒部２０内に接線方向に流入することで、円筒部２０内で旋回気流が生じ、この旋回気流により被回収物が遠心力の作用で円筒部２０の周面に向かって集まる。被回収物のうち、大きさのある粒体は重力で気流より沈降分離し、第２コーン７の内表面に沿って落下して貯留器５に回収される。一方で、微小な粉体や比重の小さい軽量異物は気流とともに上昇流となって排出管４から分離回収装置１の外部へ排出される。
【００３５】
ここで、被回収物に含まれる粒体について、粒径又は比重の大きいものもしくは形の角張った転がり難いものが多く含まれる場合には、図６（ｂ）に示すように、傾斜角度θ２が急な（大きい）第２コーン７を用いることにより、好適に粒体を第２コーン７の内表面に沿って落下させて貯留器５に回収させることができる。一方で、粒径又は比重の小さい粒体もしくは形の丸く転がり易い粒体が被回収物に多く含まれる場合には、図６（ａ）に示すように、傾斜角度θ２が緩やかな（小さい）第２コーン７を用いることにより、好適に粒体を第２コーン７の内表面に沿って落下させて貯留器５に回収させることができる。なお、傾斜角度θ２が異なる第２コーン７を用いる場合には、排出管４を適宜、円筒部２０の上面に対して上下方向にスライドさせて、排出管４の下端の位置を上下に変位させることで、微小な粉体や比重の小さい軽量異物を好適に気流とともに排出管４から排出することができる。具体的には、図６（ａ）に示す傾斜角度θ２が緩やかな（小さい）第２コーン７を用いる場合と比べて、図６（ｂ）に示す傾斜角度θ２が急な（大きい）第２コーン７を用いる場合には、排出管４を下方向にスライドさせて下端開口をより下方に位置させる。
【００３６】
また、円筒部２０内に第２コーン７を取り付けた場合には、排出管４に集塵装置や電気掃除機等の外部吸引器を接続することで、排出管４から分離回収装置１の外部へ排出された微小な粉体や比重の小さい軽量異物が外部吸引器により回収される。
【００３７】
なお、分離処理容器２の円錐部２１が第２コーン７の機能を果たす場合には、図７に示すように、第２コーン７を円筒部２０に取り付けることなく、気流より沈降分離した粒体を円錐部２１の内表面に沿って落下させて、貯留器５に回収されるようしてもよい。
【００３８】
一方で、図４に示すように、円筒部２０内に第１コーン６を取り付けた場合には、これとともに、排出管４の下端に多重管８を取り付ける。この場合には、被回収物を含む気流が導入管３から円筒部２０内に接線方向に流入することで、円筒部２０内で旋回気流が生じる。この旋回気流を利用して被回収物を円筒部２０内で軽重分離しながら、第１コーン６のテーパー状部６０の内表面で受け止めて旋回及び落下を一旦阻止した後、跳ね返りを含む爾後の自由落下により、被回収物を各筒口６３に向けてカスケード状に誘導落下させる。これにより、多重管８の各管８０の下端と各筒口６３の先端の傾斜面６４との隙間から各管８０内に微小な粉体や比重の小さい軽量異物、さらには粒体のうち粒径の小さい粒体が段階的に吸引され、排出管４から分離回収装置１の外部へ排出される。残る粒径の大きい粒体は筒状部６２から落下して貯留器５に回収される。
【００３９】
ここで、第１コーン６のテーパー状部６０の内表面に複数のリブ６２が放射状に設けられており、被回収物が複数のリブ６２で受け止められることにより、被回収物の周方向への旋回が効果的に阻止され、かつ、被回収物の誘導落下が効果的に行われる。
【００４０】
このように、円筒部２０内に第１コーン６を取り付けた分離処理装置１では、第２コーン７を取り付けた場合とは異なり、第１コーン６の各筒口６３に向けて被回収物のカスケード状の落下回収と、多重管８の各管８０による吸引排出とを協働させて、円筒部２０内での被回収物の旋回を制御しながら多段的に被回収物の落下（系内回収）と吸引（系外排出）とが可能である。そのため、粒体についても粒径の小さい粒体は分離回収装置１の外部へ排出でき、所望の大きさ以上の粒体について分離して回収することができる。
【００４１】
このとき、図８（ｂ）に示すように、傾斜角度θ１が急な（大きい）第１コーン６を用いると、粒径の大きい及び中ぐらいの粒体を好適にテーパー状部６０の内表面に沿って落下させて貯留器５に回収させることができる。一方で、図８（ａ）に示すように、傾斜角度θ１が緩やかな（小さい）第１コーン６を用いることで、粒径の大きな粒体についてはテーパー状部６０の内表面に沿って落下させて貯留器５に回収させることができるが、粒径が中ぐらいの粒体については、テーパー状部６０の内表面に沿って落下し難くなり、粒径の小さい粒体とともに多重管８の各管８０により吸引されて排出管４から分離回収装置１の外部へ排出させることができる。ただし、この場合には、排出管４を適宜、円筒部２０の上面に対して上下方向にスライドさせて、多重管８の各管８０の下端の位置を上下に変位させることで、多重管８の各管８０の下端と各筒口６３の先端の傾斜面６４との隙間の大きさを調整する。具体的には、図８（ｂ）に示す傾斜角度θ１が急な（大きい）第１コーン６を用いる場合には、多重管８の各管８０の下端と各筒口６３の先端の傾斜面６４との隙間を大きくする。上記隙間が大きいと、粒径の小さい粒体だけが上記隙間を介して多重管８の各管８０に吸引されて、系外に排出される。一方で、図８（ａ）に示す傾斜角度θ１が緩やかな（小さい）第１コーン６を用いる場合には、多重管８の各管８０の下端と各筒口６３の先端の傾斜面６４との隙間を小さくする。上記隙間が小さいと、粒径の小さい粒体に加えて粒径が中ぐらいの粒体についても上記隙間を介して多重管８の各管８０により吸引可能であり、系外に排出することができる。このように、第１コーン６のテーパー状部６０の傾斜角度θ１の選択及び排出管４の上下方向のスライドによる上記隙間の大きさ調整により、系外に排出する粒体の粒度選別を行うことができる。
【００４２】
円筒部２０内に第１コーン６を取り付けた場合には、分離回収装置１の下流側に従来のサイクロン型回収装置を配備し、外部吸引器をサイクロン型回収装置を介して排出管４に接続することで、排出管４から分離回収装置１の外部へ排出された粒体、微小な粉体及び比重の小さい軽量異物のうち、粒体がサイクロン型回収装置により回収され、微小な粉体及び比重の小さい軽量異物が外部吸引器により回収される。
【００４３】
以上の通り、上述した構成の分離回収装置１によると、円筒部２０内に取り付ける第１コーン６及び第２コーン７の選択、各コーン６，７の傾斜角度θ１，θ２の選択及び排出管４の上下移動調整を適切に行うことで、被回収物から分離して回収する粒体の大きさを、（i）粒径が大きいものだけ、（ii）粒径が大きいもの及び中ぐらいのもの、（iii）粒径が大きいものから小さいものまで全て、といったように多段階に調整することができ、一つのコンパクトな装置により粒体の分級の調整を細かく設定することができる。
【００４４】
図９は、上述した構成の分離回収装置１を用いた被回収物の移送分離回収システムの一例を示す概略構成図である。図９の例の移送分離回収システム１００では、分離回収装置１の導入管３に配管を介してエジェクター１０を接続し、エジェクター１０に配管を介して被回収物の吸引回収器１１として、例えば床面掃除機１１Ａ（例えば特許第５７５６２９４号公報を参照）、掃除機ヘッド１１Ｂ又は吸引機能付き電動工具１１Ｃ等を接続する一方、分離回収装置１の排出管４に配管を介してサイクロン型回収装置１２を接続し、サイクロン型回収装置１２に配管を介して外部吸引器１３を接続する。なお、吸引回収器１１から導入管３への被回収物の吸引導入及び排出管４からの被回収物の吸引排出に至る管路系において、外部吸引器１３のバキューム機能のみを駆動源とすることができれば、エジェクター１０は省略することができる。また、吸引回収器１１は被回収物を吸引回収できるものであれば、特に限定されない。
【００４５】
この図９の被回収物の分離回収システム１００では、吸引回収器１１により回収されて移送された被回収物のうち、粒体については所望の大きさにしたがい分離回収装置１及びサイクロン型回収装置１２に分別して回収することができ、微小な粉体及び比重の小さい軽量異物は外部吸引器１３により回収することができる。そのため、被回収物を、大きさや比重に応じて分離して回収することができる。
【００４６】
また、図１０は、上述した構成の分離回収装置１を用いた被回収物の分離回収システムの他の例を示す概略構成図である。図１０の例の分離回収システム１０１では、被回収物の回収対象エリアＳ１が広い場合に、回収対象エリアＳ１内の多点に存在する被回収物を回収対象エリアＳ１外に設置された分離回収装置１、サイクロン型回収装置１２及び外部吸引器１３に移送して分離回収するものである。
【００４７】
この図１０の例では、分離回収装置１の導入管３に本流配管１４が接続されており、本流配管１４は回収対象エリアＳ１内に向けて延びている。回収対象エリアＳ１内において、本流配管１４には複数の支流配管１５が接続されている。本流配管１４及び支流配管１５の接続は分流器１６により行われている。各支流配管２０の途中には、エジェクター１７が設けられている。各支流配管１５の先端には、被回収物の吸引回収器１１として床面掃除機１１Ａや掃除機ヘッド１１Ｂが接続されているが、吸引回収器１１は被回収物を吸引回収できるものであれば、特に限定されない。なお、本流配管１４、分流器１６及びエジェクター１７は、特許第６０１０１９７号に記載のものを好適に用いることができる。
【００４８】
図１０の被回収物の分離回収システム１０１では、エジェクター１７による吸引力によって、回収対象エリアＳ１内の多点に存在する被回収物を複数の吸引回収器１１により回収し、各支流配管１５から本流配管１４を経由して回収対象エリアＳ１外に移送することができる。そして、回収対象エリアＳ１外に移送された被回収物のうち、粒体については所望の大きさにしたがい分離回収装置１及びサイクロン型回収装置１２に分別して回収することができ、微小な粉体及び比重の小さい軽量異物は外部吸引器１３により回収することができる。
【００４９】
また、図１１は、上述した構成の分離回収装置１を用いた被回収物の分離回収システムの他の例を示す概略構成図である。図１１の例の分離回収システム１０２では、被回収物の回収対象エリアＳ２が建物の複数階に分かれている場合に、各階の回収対象エリアＳ２内に存在する被回収物を回収対象エリアＳ２外に設置された分離回収装置１、サイクロン型回収装置１２及び外部吸引器１３に移送して分離回収するものである。
【００５０】
この図１１の例では、分離回収装置１の導入管３に本流配管１８が接続されており、本流配管１８は各階の回収対象エリアＳ２内に向けて延びている。各回収対象エリアＳ２内において、本流配管１８には支流配管１９が接続されている。本流配管１８及び支流配管１９の接続は分流器３０により行われている。各支流配管１９の途中には、エジェクター３１が設けられている。各支流配管１９の先端には、被回収物の吸引回収器１１として掃除機ヘッド１１Ｂが接続されているが、吸引回収器１１は被回収物を吸引回収できるものであれば、特に限定されない。
【００５１】
図１１の被回収物の分離回収システム１０２では、エジェクター３１による吸引力によって、各階の回収対象エリアＳ２内に存在する被回収物を吸引回収器１１により回収し、各支流配管１９から本流配管１８を経由して各回収対象エリアＳ２外に移送することができる。そして、各回収対象エリアＳ２外に移送された被回収物のうち、粒体については所望の大きさにしたがい分離回収装置１及びサイクロン型回収装置１２に分別して回収することができ、微小な粉体及び比重の小さい軽量異物は外部吸引器１３により回収することができる。
【００５２】
以上、本発明の実施形態について説明したが、上述した実施形態は、全ての点で例示であって制限的なものではないため、本発明は上述した実施形態に限定されるものではない。本発明の技術的範囲は、特許請求の範囲によって画定され、また特許請求の範囲の記載と均等の意味及び範囲内での全ての変更を含むものであり、よって、本発明は、本発明の趣旨を逸脱しない限りにおいて種々の変更が可能である。
【００５３】
例えば、第１コーン６のテーパー状部６０の表面には、複数のリブ６２が設けられているが、リブ６２は必ずしも設けられている必要はない。
【符号の説明】
【００５４】
１    分離回収装置
２    分離処理容器
３    導入管
４    排出管
５    貯留器
６    第１コーン
７    第２コーン
８    多重管
１０  エジェクター
１１  吸引回収器
１２  サイクロン型回収装置
１３  外部吸引器
６０  テーパー状部
６１  筒状部
６２  リブ
６３  筒口
８０  管
【図１】
2018143954.tif 000003
【図２】
2018143954.tif 000004
【図３】
2018143954.tif 000005
【図４】
2018143954.tif 000006
【図５】
2018143954.tif 000007
【図６】
2018143954.tif 000008
【図７】
2018143954.tif 000009
【図８】
2018143954.tif 000010
【図９】
2018143954.tif 000011
【図１０】
2018143954.tif 000012
【図１１】
2018143954.tif 000013